(57)【特許請求の範囲】
【請求項１】
浄水カートリッジを内装し、原水シャワー吐出と浄水シャワー吐出とを選択できるようにした浄水機能付き水栓において、
開口総面積が大きな第１シャワー吐水口と、開口総面積が小さな第２シャワー吐水口とを設け、前記原水シャワー吐出が選択された場合は、第１シャワー吐水口から吐水されるとともに、浄水シャワー吐出が選択された場合には、第２シャワー吐水口から吐水されるように流路を切換える切換手段を設け、
前記切換手段は、原水シャワー吐出用の通路と、浄水シャワー吐出用の通路とを同一円周上に形成したことを特徴とする浄水機能付き水栓。
【請求項２】
第１，第２シャワー吐水口を有する吐水プレートとの間に流路を形成する流路形成部材を設けるとともに、前記流路を第１，第２シャワー吐水口に対応して区画し、前記切換手段は、各区画に対する原水または浄水の供給を切換えることを特徴とする請求項１に記載の浄水機能付き水栓。
【発明の詳細な説明】
【技術分野】
【０００１】
この発明は、浄水カートリッジを内装し、原水シャワー吐出と浄水シャワー吐出とを選択できるようにした浄水機能付き水栓に関するものである。
【背景技術】
【０００２】
従来、この種の浄水機能付き水栓としては、例えば特許文献１に開示されるような構成が提案されている。
この従来構成においては、水栓本体内に浄水カートリッジ及び流路切換機構が配置されている。そして、流路切換機構の操作により、ストレート吐水口からの原水ストレート吐出、シャワー吐水口からの原水シャワー吐出、ストレート吐水口からの浄水ストレート吐出と、シャワー吐水口からの浄水シャワー吐出との切換えが行われるようになっている。
【先行技術文献】
【特許文献】
【０００３】
【特許文献１】特開２００６−４２９９３号公報
【発明の概要】
【発明が解決しようとする課題】
【０００４】
前記のように、この従来の浄水機能付き水栓では、原水シャワー吐出と浄水シャワー吐出とが、同一のシャワー吐水口から行われるようになっている。このため、浄水シャワー吐出時には、浄水カートリッジによる圧力損失が大きくなることで、十分なシャワー流量を得ることができず、勢いの足りないシャワーとなり、ときにはシャワー状に拡散することもなく滴り落ちるのみで、好適なシャワー機能を得ることができないという問題があった。
【０００５】
この発明は、このような従来の技術に存在する問題点に着目してなされたものである。その目的は、浄水吐出の選択時に、浄水カートリッジによる圧力損失で吐出流量が減少した場合でも、吐出の勢いを確保することができる浄水機能付き水栓を提供することにある。
【課題を解決するための手段】
【０００６】
上記の目的を達成するために、この発明は、浄水カートリッジを内装し、原水シャワー吐出と浄水シャワー吐出とを選択できるようにした浄水機能付き水栓において、開口総面積が大きな第１シャワー吐水口と、開口総面積が小さな第２シャワー吐水口とを設け、前記原水シャワー吐出が選択された場合は、第１シャワー吐水口から吐水されるとともに、浄水シャワー吐出が選択された場合には、第２シャワー吐水口から吐水されるように流路を切換える切換手段を設け、前記切換手段は、原水シャワー吐出用の通路と、浄水シャワー吐出用の通路とを同一円周上に形成したことを特徴としている。
【０００７】
従って、この発明の浄水機能付き水栓においては、浄水シャワー吐出が選択された場合は、原水シャワー吐出が選択された場合より開口総面積が小さな第２シャワー吐水口から吐水されるように、切換手段によって流路が切換えられる。このため、浄水シャワー吐出の選択時に、浄水カートリッジによる圧力損失によって吐出流量が減少しても、吐出の勢いが低下するおそれはほとんどない。よって、快適な浄水シャワー吐出を得ることができる。
【０００８】
前記の構成において、第１，第２シャワー吐水口を有する吐水プレートとの間に流路を形成する流路形成部材を設けるとともに、前記流路を第１，第２シャワー吐水口に対応して区画し、前記切換手段は、各区画に対する原水または浄水の供給を切換えることが好ましい。
【発明の効果】
【０００９】
以上のように、この発明によれば、浄水シャワー吐出の際に、浄水カートリッジによる圧力損失によって吐出流量が減少した場合でも、吐出の勢いを確保することができるという効果を発揮する。
【図面の簡単な説明】
【００１０】
【図１】第１実施形態の浄水機能付き水栓を示す正面図。
【図２】図１の浄水機能付き水栓の軸線方向に沿った断面図。
【図３】図２の浄水機能付き水栓を分解状態で示す断面図。
【図４】浄水機能付き水栓のヘッド部を分解して示す斜視図。
【図５】同ヘッド部内の流路切換機構を示す正面図。
【図６】図５の６−６線における断面図。
【図７】流路切換機構のハウジングを示す断面図。
【図８】（ａ）は図７の矢印Ａ方向から見た側面図、（ｂ）は（ａ）の構成から隔壁部分を取り出して示す側面図。
【図９】流路切換機構内の弁体を示す正面図。
【図１０】（ａ）は図９の矢印Ｂ方向から見た側面図、（ｂ）は図９の矢印Ｃ方向から見た側面図。
【図１１】図１０（ａ）の１１−１１線における断面図。
【図１２】流路切換機構内の弁座パッキンを示す側面図。
【図１３】（ａ）〜（ｄ）は異なった流路の切換え状態における隔壁と弁体との対応関係を示す側面図。
【図１４】第２実施形態の水栓の要部を示す分解斜視図。
【図１５】図１４のヘッド内の構成を示す断面図。
【図１６】第３実施形態の水栓の要部を示す分解斜視図。
【図１７】図１６のヘッド内の構成を示す断面図。
【図１８】同じく吐水プレート内の構成を示す断面図。
【発明を実施するための形態】
【００１１】
以下に、この発明を具体化した浄水機能付き水栓の各実施形態を図面に従って説明する。
（第１実施形態）
まず、この発明の第１実施形態を図１〜図１３に基づいて説明する。
【００１２】
図１及び図２に示すように、浄水機能付き水栓の水栓本体２１は、円筒状の把持部２２と、その把持部２２の先端に着脱可能に連結されたヘッド部２３とを備えている。把持部２２には、水質を浄化するための浄水カートリッジ２４が着脱可能に内装されている。ヘッド部２３の先端下部には、吐水筒部２５が突設されている。ヘッド部２３内には、吐水筒部２５からの吐水状態を原水ストレート，原水シャワー，浄水ストレート及び浄水シャワーの４種類のいずれかに切換えるための切換手段としての流路切換機構２６が配置されている。この流路切換機構２６は、後述のハウジング３４，弁体３５，吐水口部材４１，分配部材４３，吐水プレート４４，シール部材５０，操作摘み６０等によって構成されている。
【００１３】
図２及び図３に示すように、前記浄水カートリッジ２４は、円筒状のケース３０内に収容した状態で把持部２２内に配置されている。ケース３０の一端部には、図示しない混合水栓のホース等に接続するための円筒状の接続口３０ａが把持部２２の端面から突出するように形成されている。ケース３０の他端部には、流路切換機構２６の後記ハウジング３４に接続するための開口部３０ｂが形成されている。浄水カートリッジ２４には、活性炭部２４ａと中空糸膜部２４ｂとが直列に配置されている。浄水カートリッジ２４においてケース３０の開口部３０ｂと対応する側の端部には、接続キャップ３１が嵌着されている。接続キャップ３１には、流路切換機構２６の後記弁体３５に接続するための円筒状の接続部３１ａが突設されている。
【００１４】
そして、流路切換機構２６の選択操作により、浄水カートリッジ２４のケース３０の接続口３０ａからケース３０内に流入する原水が、浄水カートリッジ２４の外周部または内部を通る流路に切換えられて導かれる。浄水カートリッジ２４の外周部を通る流路に切換えられた原水は、原水のままの状態で、浄水カートリッジ２４の外周部から流路切換機構２６のハウジング３４内に導かれる。これに対して、浄水カートリッジ２４の内部を通る流路に切換えられた原水は、浄水カートリッジ２４により浄化されて浄水となり、接続キャップ３１の接続部３１ａから流路切換機構２６の弁体３５内に導かれる。
【００１５】
図２及び図３に示すように、前記流路切換機構２６は、前記ハウジング３４と、そのハウジング３４内に配置された弁体３５とを備えている。図３〜図６に示すように、ハウジング３４には、浄水カートリッジ２４のケース３０の開口部３０ｂの内周面に図示左端部において接続される筒状部３４ａが設けられている。図３及び図４に示すように、前記筒状部３４ａ内の中間部には隔壁３６が形成されている。図２、図４及び図６に示すように、隔壁３６にはその下流側の空間３７Ｂ内に位置するように環状壁３８が形成されている。そして環状壁３８により空間３７Ｂの中心側に位置する空間部４０Ａが区画形成されている。また、環状壁３８と筒状部３４ａとの間に区画壁３９が形成され、この環状壁３８と筒状部３４ａと区画壁３９とにより、中心側の空間部４０Ａの外周側に環状壁３８を隔てて第１シャワー用流路４０Ｂと、その第１シャワー用流路４０Ｂと同一円周上に位置する第２シャワー用流路４０Ｃとが区画形成されている。
【００１６】
図２及び図３に示すように、前記ハウジング３４の筒状部３４ａの先端（図示右端）下部には、水栓本体２１のヘッド部２３の吐水筒部２５内に配置される吐水口部材４１が突設されている。図６に示すように、吐水口部材４１内には、中心側のストレート用連通路４２Ａと、そのストレート用連通路４２Ａの図示右側において前記第１シャワー用流路４０Ｂに連通する第１シャワー用連通路４２Ｂと、ストレート用連通路４２Ａの図示左側において第２シャワー用流路４０Ｃに連通する第２シャワー用連通路４２Ｃとが区画形成されている。吐水口部材４１の下端部には、流路形成部材としての分配部材４３（図４参照）と吐水プレート４４とが固着されている。
【００１７】
図２及び図６に示すように、前記吐水プレート４４の中心部には、前記ストレート用連通路４２Ａに連通するストレート吐水口４５Ａが形成されている。そのストレート吐水口４５Ａの外周側には円環状に延びる第１シャワー吐水路４５Ｂと、その第１シャワー吐水路４５Ｂとストレート吐水口４５Ａとの間において円環状に延びる第２シャワー吐水路４５Ｃとが吐水プレート４４と一体の区画壁３３により区画形成されている。そして、この区画壁３３の上端と前記分配部材４３の下面との間にはリング状のシール部材５０が介在されている。
【００１８】
吐水プレート４４の底壁部には、第１シャワー吐水路４５Ｂに連通する複数の吐水孔よりなる第１シャワー吐水口４６Ａ及び第２シャワー吐水路４５Ｃに連通する複数の吐水孔よりなる第２シャワー吐水口４６Ｂが、同心状の環状領域に配列形成されている。この場合、第２シャワー吐水口４６Ｂは、第１シャワー吐水口４６Ａの領域内の内周側の円形領域によって構成されている。従って、第１シャワー吐水口４６Ａの数が第２シャワー吐水口４６Ｂの数よりも多くなるように形成されて、第１シャワー吐水口４６Ａの開口総面積が第２シャワー吐水口４６Ｂの開口総面積よりも広くなるように形成されている。
【００１９】
図４及び図６に示すように、前記分配部材４３の上面には、第１シャワー用連通路４２Ｂ及び第２シャワー用連通路４２Ｃの下端部に嵌合する一対の突起４７Ａ，４７Ｂが一体形成されている。第１シャワー用連通路４２Ｂに嵌合する突起４７Ａには、第１シャワー用連通路４２Ｂを吐水プレート４４内の第１シャワー吐水路４５Ｂ及び第２シャワー吐水路４５Ｃの双方にそれぞれ連通させるための２つの連通孔４８Ａが形成されている。第２シャワー用連通路４２Ｃに嵌合する突起４７Ｂには、第２シャワー用連通路４２Ｃを吐水プレート４４内の第２シャワー吐水路４５Ｃのみに連通させるための１つの連通孔４８Ｂが形成されている。
【００２０】
図３、図６〜図８に示すように、前記ハウジング３４内の隔壁３６の中心部には、軸支孔５１が貫通形成されている。隔壁３６には、ストレート用流出孔５２Ａ、シャワー用流出孔５２Ｂが貫通形成されるとともに、隔壁３６の上流側の面には第１閉鎖部５３Ａ及び第２閉鎖部５３Ｂが形成され、それらは同心円周上でほぼ等角度間隔をおいて配設されている。第１閉鎖部５３Ａ及び第２閉鎖部５３Ｂは、隔壁３６の上流側の面に円周方向に沿って長孔円弧状をなすように形成された凹部より構成されている。
【００２１】
前記ストレート用流出孔５２Ａは、ハウジング３４の筒状部３４ａ内の上流側空間３７Ａと吐水口部材４１内のストレート用連通路４２Ａとを連通させるように、隔壁３６の下部に形成されている。また、このストレート用流出孔５２Ａは、隔壁３６の円周方向に沿って長孔円弧状をなすように形成されている。シャワー用流出孔５２Ｂは、円周方向に沿って隣接して配列された２つの貫通孔５２ａ，５２ｂから構成されている。シャワー用流出孔５２Ｂの一方の貫通孔５２ａは、第１シャワー用流路４０Ｂ及び吐水口部材４１内の第１シャワー用連通路４２Ｂとを連通させる位置に形成されている。シャワー用流出孔５２Ｂの他方の貫通孔５２ｂは、第２シャワー用流路４０Ｃ及び吐水口部材４１内の第２シャワー用連通路４２Ｃとを連通させる位置に形成されている。
【００２２】
図７及び図１２に示すように、前記隔壁３６の上流側の面には、ゴム等の弾性材よりなる円板状の弁座パッキン５４が取り付けられている。この弁座パッキン５４には、隔壁３６のストレート用流出孔５２Ａ及びシャワー用流出孔５２Ｂの開口周縁に配置される環状シール部５４ａ，５４ｂと、隔壁３６の第１閉鎖部５３Ａ及び第２閉鎖部５３Ｂに配置される凸状シール部５４ｃ，５４ｄとが形成されている。
【００２３】
図２及び図３に示すように、前記流路切換機構２６におけるハウジング３４の筒状部３４ａの下流側開放端部には、筒状部３４ａ内の下流側空間３７Ｂの端縁を閉鎖するための閉鎖板５５が取り付けられている。閉鎖板５５の中心には、隔壁３６の軸支孔５１に対応する軸支孔５６が形成されている。
【００２４】
図３，図９及び図１１に示すように、前記流路切換機構２６の弁体３５には、円板状の弁板５７と、その弁板５７の中心から下流側に突出された操作軸５８と、弁板５７の中心から上流側に突出された接続筒５９とが形成されている。そして、弁体３５の操作軸５８が隔壁３６の上流側から軸支孔５１，５６に挿通されることにより、弁体３５が隔壁３６と閉鎖板５５とに回転可能に支持されている。また、この弁体３５の支持状態で、前記接続筒５９に対して前記浄水カートリッジ２４の端部に取り付けられた接続キャップ３１の接続部３１ａが着脱可能に接続されている。
【００２５】
図２及び図３に示すように、前記水栓本体２１のヘッド部２３の外側には操作摘み６０が設けられており、その操作摘み６０は弁体３５の操作軸５８の端部に連結されている。
弁体３５の弁板５７と接続キャップ３１との間には、弁板５７を隔壁３６側に向かって押圧付勢するためのバネ６１がバネ受け６２を介して介装されている。図２，図８〜図１０（ａ）（ｂ）に示すように、隔壁３６の上流側の面の外周縁には、４つの位置決め凹部６３が同一円周上で等角度間隔をおいて形成されている。弁板５７の下流側の面の外周縁には、位置決め凹部６３に係脱可能な４つの位置決め凸部６４が同一円周上で等角度間隔をおいて形成されている。
【００２６】
そして、前記操作摘み６０により弁体３５が回転操作されたとき、前記バネ６１の付勢力のもとで位置決め凸部６４が位置決め凹部６３に係脱されて、弁体３５がクリックモーションで図１３（ａ）〜（ｄ）に示す４つの切換位置に位置決め保持されるようになっている。
【００２７】
図４、図１０（ａ）（ｂ）及び図１１に示すように、前記弁体３５の弁板５７には、原水用弁口６５Ａ及び浄水用弁口６５Ｂが同一円周上で形成されている。原水用弁口６５Ａは、弁板５７の円周方向に沿って長孔円弧状をなすように形成されている。そして、弁体３５が図１３（ａ）に示す切換位置に切換えられたときには、原水用弁口６５Ａが隔壁３６上のストレート用流出孔５２Ａに合致して、そのストレート用流出孔５２Ａが開放される。また、弁体３５が図１３（ｂ）に示す切換位置に切換えられたときには、原水用弁口６５Ａが隔壁３６上のシャワー用流出孔５２Ｂの両貫通孔５２ａ，５２ｂに合致して、両貫通孔５２ａ，５２ｂが開放されるようになっている。
【００２８】
図１０（ａ）（ｂ）及び図１１に示すように、前記浄水用弁口６５Ｂは、弁体３５の接続筒５９内から弁板５７の下流側面に向かって傾斜状に延びるように形成されている。また、この浄水用弁口６５Ｂは、開口端面が弁板５７の径方向に長い楕円形状となるように形成されている。そして、弁体３５が図１３（ｃ）に示す切換位置に切換えられたときには、浄水用弁口６５Ｂが隔壁３６上のストレート用流出孔５２Ａの一部に合致して、そのストレート用流出孔５２Ａが開放される。また、弁体３５が図１３（ｄ）に示す切換位置に切換えられたときには、浄水用弁口６５Ｂが隔壁３６上のシャワー用流出孔５２Ｂの１つの貫通孔５２ｂに合致して、その貫通孔５２ｂのみが開放されるようになっている。
【００２９】
次に、前記のように構成された浄水機能付き水栓の作用を主として図１３に従って説明する。
（原水ストレート吐出）
流路切換機構２６の操作摘み６０の回転操作により、弁体３５の弁板５７が図１３（ａ）に示す切換位置に切換えられると、弁板５７上の原水用弁口６５Ａが隔壁３６上のストレート用流出孔５２Ａに合致して、そのストレート用流出孔５２Ａが開放される。このとき、弁板５７上の浄水用弁口６５Ｂは隔壁３６上の第１閉鎖部５３Ａによって閉鎖されるとともに、隔壁３６上のシャワー用流出孔５２Ｂの両貫通孔５２ａ，５２ｂは弁板５７によって閉鎖されている。
【００３０】
これにより、浄水カートリッジ２４のケース３０の接続口３０ａからケース３０内に流入する原水が、浄水カートリッジ２４の外周部を通って原水のままの状態で、流路切換機構２６のハウジング３４の上流側空間３７Ａ内に導入される。そして、その原水が弁板５７の原水用弁口６５Ａ及び隔壁３６のストレート用流出孔５２Ａを通して、吐水口部材４１内のストレート用連通路４２Ａに導かれて、吐水プレート４４のストレート吐水口４５Ａからストレート吐出される。
【００３１】
（原水シャワー吐出）
弁体３５の弁板５７が図１３（ｂ）に示す切換位置に切換えられると、弁板５７上の原水用弁口６５Ａが隔壁３６上のシャワー用流出孔５２Ｂの両貫通孔５２ａ，５２ｂに合致して、両貫通孔５２ａ，５２ｂが開放される。このとき、弁板５７上の浄水用弁口６５Ｂは隔壁３６上の第２閉鎖部５３Ｂによって閉鎖されるとともに、隔壁３６上のストレート用流出孔５２Ａは弁板５７によって閉鎖されている。
【００３２】
これにより、浄水カートリッジ２４の外周部を通ってハウジング３４の上流側空間３７Ａ内に導入される原水が、弁板５７の原水用弁口６５Ａ及び隔壁３６のシャワー用流出孔５２Ｂの両貫通孔５２ａ，５２ｂを通して、吐水口部材４１内の第１及び第２シャワー用連通路４２Ｂ，４２Ｃに導かれる。そして、その原水が分配部材４３の連通孔４８Ａ，４８Ｂを通って吐水プレート４４の外周側領域に設けられた第１シャワー吐水路４５Ｂのシャワー吐水口４６Ａ及び内周側領域に設けられた第２シャワー吐水路４５Ｃのシャワー吐水口４６Ｂの双方から、大吐出流量でシャワー吐水される。
【００３３】
（浄水ストレート吐出）
弁体３５の弁板５７が図１３（ｃ）に示す切換位置に切換えられると、弁板５７上の浄水用弁口６５Ｂが隔壁３６上のストレート用流出孔５２Ａの一部（ほぼ半部）に合致して、そのストレート用流出孔５２Ａが開放される。このとき、弁板５７上の原水用弁口６５Ａは隔壁３６上の第１閉鎖部５３Ａによって閉鎖されるとともに、隔壁３６上のシャワー用流出孔５２Ｂの両貫通孔５２ａ，５２ｂは弁板５７によって閉鎖されている。
【００３４】
これにより、接続口３０ａから浄水カートリッジ２４のケース３０内に流入する原水が、浄水カートリッジ２４の内部を通って浄化されて浄水となり、この浄水が接続キャップ３１の接続部３１ａから流路切換機構２６の弁体３５の接続筒５９内に導かれる。そして、その浄水が弁板５７の浄水用弁口６５Ｂ及び隔壁３６のストレート用流出孔５２Ａを通して、吐水口部材４１内のストレート用連通路４２Ａに導かれて、吐水プレート４４のストレート吐水口４５Ａから吐出される。
【００３５】
（浄水シャワー吐出）
弁体３５の弁板５７が図１３（ｄ）に示す切換位置に切換えられると、弁板５７上の浄水用弁口６５Ｂが隔壁３６上のシャワー用流出孔５２Ｂの１つの貫通孔５２ｂに合致して、その貫通孔５２ｂのみが開放される。このとき、弁板５７上の原水用弁口６５Ａは隔壁３６上の第２閉鎖部５３Ｂによって閉鎖されるとともに、隔壁３６上のストレート用流出孔５２Ａ及びシャワー用流出孔５２Ｂの他方の貫通孔５２ａは弁板５７によって閉鎖されている。
【００３６】
これにより、弁体３５の接続筒５９内に導入された浄水が、弁板５７の浄水用弁口６５Ｂ及び隔壁３６のシャワー用流出孔５２Ｂの１つの貫通孔５２ｂを通って、吐水口部材４１内の第２シャワー用連通路４２Ｃに導かれる。そして、その浄水が分配部材４３の連通孔４８Ｂを通って吐水プレート４４の内周側領域に設けられた第２シャワー吐水路４５Ｃのシャワー吐水口４６Ｂからシャワー吐水される。この浄水シャワー吐出の場合には、前記原水シャワー吐出の場合と比較して、シャワー吐水の開口面積が減らされている。すなわち、原水シャワー吐出では第１及び第２シャワー吐水口４６Ａ，４６Ｂが使用されていたが、浄水シャワー吐出では第２シャワー吐水口４６Ｂのみが使用されている。このため、浄水シャワー吐出において、浄水カートリッジ２４における圧力損失によって吐出流量が減少しても、シャワー吐水の勢いが低下することはほとんどない。
【００３７】
従って、この実施形態によれば、以下のような効果を得ることができる。
（１）  この実施形態では、浄水カートリッジ２４を内装し、原水シャワー吐出と浄水シャワー吐出とを選択できるようにした浄水機能付き水栓において、複数のシャワー吐水口４６Ａ，４６Ｂが設けられている。そして、浄水シャワー吐出が選択された場合には、原水シャワー吐出が選択された場合より狭い開口総面積のシャワー吐水口４６Ｂからシャワー吐出されるように流路が切換えられる。このため、浄水シャワー吐出の選択時に、浄水カートリッジ２４による圧力損失によって吐出流量が減少しても、シャワー吐水の勢いが低下するおそれはほとんどない。よって、浄水シャワー吐出であっても、吐出の勢いのある自然なシャワー感を得ることができて、快適に使用することができる。
【００３８】
（２）  この実施形態では、吐水口部材４１の吐水プレート４４の内周側領域に第２シャワー吐水口４６Ｂが設けられるとともに、吐水プレート４４の内周側及び外周側領域に第１シャワー吐水口４６Ａが設けられている。そして、浄水シャワー吐出が選択された場合には、第２シャワー吐水口４６Ｂのみからシャワー吐出が行われる。これに対して、原水シャワー吐出が選択された場合には、両シャワー吐水口４６Ｂ，４６Ａからシャワー吐出が行われる。すなわち、原水シャワー吐出の選択時には、浄水シャワー吐出用の内周側の第２シャワー吐水口４６Ｂも使用して、シャワー吐出が行われるようになっている。
【００３９】
このため、原水シャワーにおいて両シャワー吐水口４６Ｂ，４６Ａを共用できて、水栓全体をコンパクトに構成することができる。
（３）  この実施形態では、原水シャワー吐出の選択時には、多くの吐出流量を確保することができる。また、浄水シャワー吐出及び原水シャワー吐出のいずれの選択時においても、吐水口部材４１の吐水プレート４４の内周側領域における第２シャワー吐水口４６Ｂからシャワー吐水が行われるため、違和感なく使用することができる。
【００４０】
（４）  この実施形態では、同心状の環状壁３８と筒状部３４ａとの間に区画壁３９が形成されている。そして、この環状壁３８と筒状部３４ａと区画壁３９とにより、外周側の第１シャワー用流路４０Ｂと、その第１シャワー用流路４０Ｂと同一円周上に位置する第２シャワー用流路４０Ｃとが区画形成されている。従って、第１，第２シャワー用流路４０Ｂ，４０Ｃが同一円周上に位置するため、ハウジング３４全体をコンパクトに構成できる。
【００４１】
（第２実施形態）
次に、この発明を具体化した第２実施形態を図１４及び図１５に基づいて第１実施形態と異なる部分を中心に説明する。
【００４２】
この第２実施形態においては、原水シャワー用の第１シャワー吐水口４６Ａが吐水プレート４４の全周に設けられ、浄水シャワー用の第２シャワー吐水口４６Ｂが同一円周上において吐水プレート４４の図１４の左側半部のみに設けられている。このため、第１シャワー吐水口４６Ａはその半部が第２シャワー吐水口４６Ｂと共用されている。すなわち、第２シャワー吐水口４６Ｂは、第１シャワー吐水口４６Ａの領域内の半部の領域によって構成されている。従って、第１シャワー吐水口４６Ａの数が第２シャワー吐水口４６Ｂの数よりも多くなるように形成されて、第１シャワー吐水口４６Ａの開口総面積が第２シャワー吐水口４６Ｂの開口総面積よりも広くなるように形成されている。
【００４３】
図１５に表れたハウジング３４の空間部４０Ａ、第１，第２シャワー用流路４０Ｂ，４０Ｃ、貫通孔５２ａ，５２ｂ、ストレート用流出孔５２Ａ、第１，第２シャワー用連通路４２Ｂ，４２Ｃ等や、図１４及び図１５に図示されていない弁体３５等は前記第１実施形態と同様な構成である。
【００４４】
これに対し、第２実施形態においては、以下の構成が第１実施形態と異なる。すなわち、分配部材４３の突起４７Ａ，４７Ｂには連通孔４８Ａ及び４８Ｂがそれぞれ１箇所ずつ形成されている。また、分配部材４３と吐水プレート４４との間の区画壁３３は、吐水プレート４４の外周側の壁部４４ａと一体の外周部３３ａと、内周側の壁部４４ｂと一体の内周部３３ｂと、外周部３３ａと内周部３３ｂとの間の前後方向に延びる直径線上に位置した連結部３３ｃとにより一体形成されている。シール部材５０は、前記区画壁３３の形状に対応して、外周部５０ａと、内周部５０ｂと、連結部５０ｃとにより一体形成されている。そして、区画壁３３とシール部材５０とにより、吐水プレート４４と分配部材４３との間の流路が区画壁３３及びシール部材５０の連結部３３ｃ，５０ｃを介して左右に分割されている。
【００４５】
従って、原水シャワーの場合は、原水が貫通孔５２ａ，５２ｂから第１，第２シャワー用流路４０Ｂ，４０Ｃ、第１，第２シャワー用連通路４２Ｂ，４２Ｃを通り、連通孔４８Ａ，４８Ｂを通って左右の第１，第２シャワー吐水口４６Ａ，４６Ｂからシャワー吐出される。また、浄水シャワーの場合は、浄水が貫通孔５２ｂから第２シャワー用流路４０Ｃ、第２シャワー用連通路４２Ｃを通り、連通孔４８Ｂを通って左側の第２シャワー吐水口４６Ｂからシャワー吐出される。従って、浄水のシャワー吐出の場合は、原水のシャワー吐出の場合より少ない吐水量となる。
【００４６】
従って、この第２実施形態においては、前記第１実施形態における（１），（２），（４）と同様な効果を得ることができる。なお、この第２実施形態において、弁体３５の浄水用弁口６５Ｂ，貫通孔５２ａ，５２ｂ、第１，第２シャワー用流路４０Ｂ，４０Ｃ等の配置構成を図１５に対して左右逆にすれば、浄水シャワーが図１５の右側半部の領域から吐出されるように構成される。
【００４７】
（第３実施形態）
次に、この発明を具体化した第３実施形態を図１６〜図１８に基づいて第１実施形態と異なる部分を中心に説明する。
【００４８】
この実施形態においては、原水シャワー用の第１シャワー吐水口４６Ａが吐水プレート４４の全周に設けられ、浄水シャワー用の第２シャワー吐水口４６Ｂが同一円周上において図１６の後側半部に設けられている。従って、この第３実施形態においても、第１シャワー吐水口４６Ａはその半部が第２シャワー吐水口４６Ｂと共用されている。すなわち、この実施形態においても、第２シャワー吐水口４６Ｂは、第１シャワー吐水口４６Ａの領域内の半部の領域によって構成されて、第１シャワー吐水口４６Ａの開口総面積が第２シャワー吐水口４６Ｂの開口総面積よりも広くなるように形成されている。
【００４９】
図１７に表れたハウジング３４の空間部４０Ａ、第１，第２シャワー用流路４０Ｂ，４０Ｃ、貫通孔５２ａ，５２ｂ、ストレート用流出孔５２Ａ、第１，第２シャワー用連通路４２Ｂ，４２Ｃ等や、図示されていない弁体３５等は、前記第２実施形態と同様な構成である。
【００５０】
これに対し、第３実施形態においては、以下の構成が第１実施形態と異なる。すなわち、分配部材４３の図示右側の突起４７Ａには前後２箇所に、図示左側の突起４７Ｂには後側の１箇所に連通孔４８Ａ及び４８Ｂがそれぞれ形成されている。また、区画壁３３は、吐水プレート４４の外周側の壁部４４ａと一体の外周部３３ａと、内周側の壁部４４ｂと一体の内周部３３ｂと、外周部３３ａと内周部３３ｂとの間の左右方向に延びる直径線上に位置した連結部３３ｃとにより一体形成されている。シール部材５０は、前記区画壁３３の形状に対応して、外周部５０ａと、内周部５０ｂと、連結部５０ｃとにより一体形成されている。そして、区画壁３３とシール部材５０とにより、吐水プレート４４と分配部材４３との間の流路が前記連結部３３ｃ，５０ｃを介して前後に分割されている。また、右側の突起４７Ａの一対の連通孔４８Ａは区画壁３３及びシール部材５０の連結部３３ｃ，５０ｃの前後位置において同連結部３３ｃ，５０ｃを挟むように配置されている。また、左側の突起４７Ｂの連通孔４８Ｂは前記連結部３３ｃ，５０ｃの後方位置に配置されている。
【００５１】
従って、原水シャワーの場合は、原水が貫通孔５２ａ，５２ｂから第１，第２シャワー用流路４０Ｂ，４０Ｃ、第１，第２シャワー用連通路４２Ｂ，４２Ｃを通り、連通孔４８Ａ，４８Ｂを通って前後の第１，第２シャワー吐水口４６Ａ，４６Ｂからシャワー吐出される。また、浄水シャワーの場合は、浄水が貫通孔５２ｂから第２シャワー用流路４０Ｃ、第２シャワー用連通路４２Ｃを通り、連通孔４８Ｂを通って後側の第２シャワー吐水口４６Ｂからシャワー吐出される。
【００５２】
従って、この第３実施形態においても、前記第１実施形態おける（１），（２），（４）と同様な効果を得ることができる。なお、この第３実施形態において、図１７に対して、突起４７Ｂの連通孔４８Ｂの位置を前後逆にすれば、浄水シャワーが図１７の前側半部の領域から吐出される。
【００５３】
（変更例）
なお、この実施形態は、次のように変更して具体化することも可能である。
・  前記実施形態において、浄水カートリッジ２４の構成を任意に変更すること。例えば、中空糸膜を有することなく、活性炭のみの濾材を有する浄水カートリッジを用いること。
【００５４】
・  前記実施形態においては、浄水シャワーの吐水部を内周側に設けたが、外周側に設けること。
・  前記各実施形態では、第１，第２シャワー吐水口４６Ａ，４６Ｂを孔によって構成したが、スリットや、孔とスリットとの組み合わせによって構成してもよい。また、第１，第２シャワー吐水口４６Ａ，４６Ｂの開口総面積の差を孔の数の差によって相違させたが、孔の径の差によって構成してもよい。
【００５５】
（他の技術的思想）
前記各実施形態から把握されるが、請求項に記載されていない技術的思想は以下の通りである。
【００５６】
（Ａ）  複数の第１シャワー吐水口を環状に配列するとともに、複数の第２シャワー吐水口を第１シャワー吐水口と同心状に配列し、原水の場合は第１，第２シャワー吐水口から吐出され、浄水の場合は第２シャワー吐水口から吐出されることを特徴とする請求項１〜３のうちのいずれか一項に記載の浄水機能付き水栓。
【００５７】
（Ｂ）  前記第２シャワー吐水口を内周側に配列したことを特徴とする前記技術的思想（Ａ）項に記載の浄水機能付き水栓。
（Ｃ）  第２シャワー吐水口は、第１シャワー吐水口として用いられることを特徴とする前記技術的思想（Ａ）項または（Ｂ）項に記載の浄水機能付き水栓。
【００５８】
（Ｄ）  複数の第１シャワー吐水口を環状に配列するとともに、複数の第２シャワー吐水口を第１シャワー吐水口と同一円周上の前後左右のいずれか一箇所に配列し、原水の場合は第１，第２シャワー吐水口から吐出され、浄水の場合は第２シャワー吐水口から吐出されることを特徴とする請求項１〜３のうちのいずれか一項に記載の浄水機能付き水栓。
【符号の説明】
【００５９】
２４…浄水カートリッジ、２６…切換手段としての流路切換機構、４４…吐水プレート、４６Ａ…第１シャワー吐水口、４６Ｂ…第２シャワー吐水口。
【図１】
0005872210.tif 000002
【図２】
0005872210.tif 000003
【図３】
0005872210.tif 000004
【図４】
0005872210.tif 000005
【図５】
0005872210.tif 000006
【図６】
0005872210.tif 000007
【図７】
0005872210.tif 000008
【図８】
0005872210.tif 000009
【図９】
0005872210.tif 000010
【図１０】
0005872210.tif 000011
【図１１】
0005872210.tif 000012
【図１２】
0005872210.tif 000013
【図１３】
0005872210.tif 000014
【図１４】
0005872210.tif 000015
【図１５】
0005872210.tif 000016
【図１６】
0005872210.tif 000017
【図１７】
0005872210.tif 000018
【図１８】
0005872210.tif 000019